(57)【特許請求の範囲】
【請求項１】
有線ネットワークを接続する接続部と、
複数のアンテナを介して、通信対象の端末装置からの信号を受信する受信部と、
前記受信した信号から、現在の受信応答ベクトルを導出する導出部と、
前記導出した現在の受信応答ベクトルを記憶する記憶部と、
前記導出した受信応答ベクトルと前記記憶部に記憶した過去の受信応答ベクトルの差違を計算する計算部と、
所定の期間より長い期間にわたって、前記計算した差違がしきい値よりも大きければ、前記通信対象の端末装置に関する警告を前記接続部を介して有線ネットワークへ出力する警告部とを備え、
前記受信部は、前記通信対象の端末装置から監視要求を示した信号を受信し、前記警告部は、前記監視要求を示した信号を受信した場合に、所定の期間より長い期間にわたって、前記計算した差違がしきい値よりも大きければ、前記通信対象の端末装置に関する警告を前記接続部を介して有線ネットワークへ出力し、
前記受信部が前記監視要求を示した信号を受信していない場合に、前記計算部で計算した差違にもとづいて、前記警告部で使用すべきしきい値を設定する設定部をさらに備えることを特徴とする無線装置。
【請求項２】
複数のアンテナを介して、受信した通信対象の端末装置からの信号にもとづいて導出した受信応答ベクトルの変動が、所定の期間より長い期間にわたってしきい値よりも大きければ、前記通信対象の端末装置に関する警告を外部の有線ネットワークへ出力する警告方法であって、
前記通信対象の端末装置から監視要求を示した信号を受信した場合に、所定の期間より長い期間にわたって、前記導出した変動がしきい値よりも大きければ、前記通信対象の端末装置に関する警告を有線ネットワークへ出力し、
さらに、前記通信対象の端末装置から監視要求を示した信号を受信していない場合に、受信応答ベクトルの変動の差違にもとづいて、前記しきい値を設定することを特徴とする警告方法。
【請求項３】
複数のアンテナを介して、通信対象の端末装置からの信号を受信するステップと、
前記受信した信号から、現在の受信応答ベクトルを導出するステップと、
前記導出した現在の受信応答ベクトルをメモリに記憶するステップと、
前記導出した受信応答ベクトルと前記メモリに記憶した過去の受信応答ベクトルの差違を計算するステップと、
所定の期間より長い期間にわたって、前記計算した差違が予めメモリに記憶したしきい値よりも大きければ、前記通信対象の端末装置に関する警告を外部の有線ネットワークへ出力するステップとを備え、
前記受信するステップは、前記通信対象の端末装置から監視要求を示した信号を受信し、
前記出力するステップは、前記監視要求を示した信号を受信した場合に、所定の期間より長い期間にわたって、前記計算した差違がしきい値よりも大きければ、前記通信対象の端末装置に関する警告を有線ネットワークへ出力し、
さらに、前記通信対象の端末装置から監視要求を示した信号を受信していない場合に、受信応答ベクトルの変動の差違にもとづいて、前記しきい値を設定するステップをコンピュータに実行させるためのプログラム。
【発明の詳細な説明】
【技術分野】
【０００１】
本発明は、警告技術に関し、特に無線装置の盗難を警告するための警告方法およびそれを利用した無線装置に関する。
【背景技術】
【０００２】
ワイヤレス通信において、一般的に限りある周波数資源の有効利用が望まれている。周波数資源を有効利用するための技術のひとつが、アダプティブアレイアンテナ技術である。アダプティブアレイアンテナ技術は、複数のアンテナでそれぞれ送受信される信号の振幅と位相を制御して、アンテナの指向性パターンを形成する。すなわち、アダプティブアレイアンテナを備えた装置は、複数のアンテナで受信した信号の振幅と位相をそれぞれ変化させ、変化させた複数の受信信号を加算して、当該振幅と位相との変化量（以下、「ウエイト」という）に応じた指向性パターンのアンテナで受信される信号と同等の信号を受信する。また、ウエイトに応じたアンテナの指向性パターンによって信号が送信される。
【０００３】
アダプティブアレイアンテナ技術において、ウエイトを算出するための処理の一例には、最小二乗誤差（ＭＭＳＥ：Ｍｉｎｉｍｕｍ  Ｍｅａｎ  Ｓｑｕａｒｅ  Ｅｒｒｏｒ）法にもとづく方法がある。ＭＭＳＥ法において、ウエイトの最適値を与える条件としてウィナー解が知られており、さらにウィナー解を直接解くよりも計算量が少ない漸化式も知られている。漸化式としては、例えば、ＲＬＳ（Ｒｅｃｕｒｓｉｖｅ  Ｌｅａｓｔ  Ｓｑｕａｒｅｓ）アルゴリズムやＬＭＳ（Ｌｅａｓｔ  Ｍｅａｎ  Ｓｑｕａｒｅｓ）アルゴリズムなどの適応アルゴリズムが使用される。このようなアダプティブアレイアンテナ技術は、簡易型携帯電話システムなどの移動通信システムや無線ＬＡＮ（Ｌｏｃａｌ  Ａｒｅａ  Ｎｅｔｗｏｒｋ）の基地局装置へ適用されつつある（例えば、特許文献１参照。）。
【特許文献１】特開２００１−９４４９９号公報
【発明の開示】
【発明が解決しようとする課題】
【０００４】
このようなアダプティブアレイアンテナを備えた基地局装置の通信対象となる端末装置は、通常可般性を持つために、端末装置がユーザから離れて置かれている場合に、盗難されるおそれがある。一方、アダプティブアレイアンテナを備えた基地局装置で導出したウエイトや応答係数は、当該基地局装置と通信している端末装置の存在する位置に関連した値となるため、一般的に、端末装置が移動するとウエイトや応答係数も変動する。しかしながら、この変動は、端末装置が盗難された場合だけでなく、端末装置の単なる移動の場合にも発生するため、両者を区別できない。
【０００５】
本発明はこうした状況に鑑みてなされたものであり、その目的は、端末装置の盗難を推定して、盗難を検出した場合にその旨を警告する警告方法およびそれを利用した無線装置を提供することにある。
【課題を解決するための手段】
【０００６】
本発明のある態様は、無線装置である。この装置は、有線ネットワークを接続する接続部と、複数のアンテナを介して、通信対象の端末装置からの信号を受信する受信部と、受信した信号から、現在の受信応答ベクトルを導出する導出部と、導出した現在の受信応答ベクトルを記憶する記憶部と、導出した受信応答ベクトルと憶部に記憶した過去の受信応答ベクトルの差違を計算する計算部と、所定の期間より長い期間にわたって、計算した差違がしきい値よりも大きければ、通信対象の端末装置に関する警告を接続部を介して有線ネットワークへ出力する警告部と、受信部は、通信対象の端末装置から監視要求を示した信号を受信し、警告部は、監視要求を示した信号を受信した場合に、所定の期間より長い期間にわたって、計算した差違がしきい値よりも大きければ、通信対象の端末装置に関する警告を前記接続部を介して有線ネットワークへ出力し、受信部が監視要求を示した信号を受信していない場合に、計算部で計算した差違にもとづいて、警告部で使用すべきしきい値を設定する設定部を備えることを特徴とする。
【０００７】
本発明の別の態様は、警告方法である。この方法は、複数のアンテナを介して、受信した通信対象の端末装置からの信号にもとづいて導出した受信応答ベクトルの変動が、所定の期間より長い期間にわたってしきい値よりも大きければ、通信対象の端末装置に関する警告を外部の有線ネットワークへ出力する警告方法であって、通信対象の端末装置から監視要求を示した信号を受信した場合に、所定の期間より長い期間にわたって、導出した変動がしきい値よりも大きければ、通信対象の端末装置に関する警告を有線ネットワークへ出力し、さらに、通信対象の端末装置から監視要求を示した信号を受信していない場合に、受信応答ベクトルの変動の差違にもとづいて、しきい値を設定する。
【０００８】
本発明のさらに別の態様は、プログラムである。このプログラムは、複数のアンテナを介して、通信対象の端末装置からの信号を受信するステップと、受信した信号から、現在の受信応答ベクトルを導出するステップと、導出した現在の受信応答ベクトルをメモリに記憶するステップと、導出した受信応答ベクトルとメモリに記憶した過去の受信応答ベクトルの差違を計算するステップと、所定の期間より長い期間にわたって、計算した差違が予めメモリに記憶したしきい値よりも大きければ、通信対象の端末装置に関する警告を外部の有線ネットワークへ出力するステップとを備え、受信するステップは、通信対象の端末装置から監視要求を示した信号を受信し、出力するステップは、監視要求を示した信号を受信した場合に、所定の期間より長い期間にわたって、計算した差違がしきい値よりも大きければ、通信対象の端末装置に関する警告を有線ネットワークへ出力し、通信対象の端末装置から監視要求を示した信号を受信していない場合に、受信応答ベクトルの変動の差違にもとづいて、しきい値を設定するステップをコンピュータに実行させる。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、端末装置の盗難を推定して、盗難を検出した場合にその旨を警告できる。
【図面の簡単な説明】
【００１１】
【図１】実施例１に係る通信システムの構成を示す図である。
【図２】図１の端末装置と基地局装置の構成を示す図である。
【図３】図２の信号処理部の構成を示す図である。
【図４】図２の警告処理部の構成を示す図である。
【図５】図４の記憶部で記憶した端末装置情報のデータ構造を示す図である。
【図６】図１の監視処理を示すフローチャートである。
【図７】図１の応答処理を示すフローチャートである。
【発明を実施するための最良の形態】
【００１２】
本発明を具体的に説明する前に、概要を述べる。本発明の実施例は、簡易型携帯電話システムでの複数のアンテナを備えた基地局装置に関する。本実施例の基地局装置は、複数のアンテナによって、通信対象の端末装置からの受信信号をアダプティブアレイ処理する。アダプティブアレイ処理では、一般的に端末装置との間の無線環境を反映した受信応答ベクトルを計算する。基地局装置は、受信応答ベクトルの時間変動を監視し、受信応答ベクトルの変動が大きければ、端末装置が盗難されたと判断して、基地局装置と有線ネットワークを介して接続された管理サーバに警告を示した信号を出力する。さらに、管理サーバは、所定の通信方法で警告を示した信号を端末装置のユーザに通知する。
【００１３】
基地局装置は、受信応答ベクトルの変動があった場合に、端末装置の盗難と端末装置の単なる移動を区別するために、変動が継続する期間を加味して盗難を判断する。すなわち、端末装置を盗難した者がすぐに停止するとは考えにくいため、変動が継続する期間が長く継続すれば盗難と判断する。また、端末装置を所有するユーザは、例えば端末装置から離れるなど、端末装置が盗難されるおそれにある場合を認識しているため、監視を要求する信号を予め端末装置から受け付ける。基地局装置は、監視を要求する信号を受け付ければ、受信応答ベクトルの変動を単なる移動ではなく盗難と判断して、警告を出力する。
【００１４】
図１は、実施例１に係る通信システム１００の構成を示す。通信システム１００は、端末装置１０、基地局装置３４、ネットワーク３２、管理サーバ３１０、携帯電話用有線ネットワーク３１２、携帯電話用基地局装置３１４、携帯電話３１６を含む。
【００１５】
端末装置１０は、ユーザ３１８が所有し、後述の基地局装置３４と通信するための通信装置である。図中で端末装置１０はふたつ示されているが、基地局装置３４と点線によって接続された端末装置１０は移動前の状態であり、基地局装置３４と実線によって接続された端末装置１０は移動後の状態である。前者の端末装置１０は、ユーザ３１８が管理している状態にあるが、後者の端末装置１０は、ユーザ３１８の管理下になく盗難された状態を示す。
【００１６】
基地局装置３４は、図示されない複数のアンテナにもとづくアダプティブアレイ処理によって、図示されない複数の端末装置１０と通信する。また、無線回線だけでなく、ネットワーク３２とも接続し、端末装置１０の盗難を検出するとネットワーク３２を介して後述の管理サーバ３１０に警告信号を出力する。
【００１７】
管理サーバ３１０は、前述のごとく基地局装置３４から端末装置１０の盗難に関する警告を受け付ける。その場合、管理サーバ３１０は、携帯電話用有線ネットワーク３１２と携帯電話用基地局装置３１４を介して、ユーザ３１８が所有する携帯電話３１６に対して、端末装置１０の盗難を通知する。
【００１８】
図２は、端末装置１０と基地局装置３４の構成を示す。端末装置１０は、ベースバンド部２６、モデム部２８、無線部３０、端末用アンテナ１６を含み、基地局装置３４は、基地局用アンテナ１４と総称される第１基地局用アンテナ１４ａ、第２基地局用アンテナ１４ｂ、第Ｎ基地局用アンテナ１４ｎ、無線部１２と総称される第１無線部１２ａ、第２無線部１２ｂ、第Ｎ無線部１２ｎ、信号処理部１８、モデム部２０、ベースバンド部２２、制御部２４、警告処理部３００を含む。また、信号として、デジタル受信信号２００と総称される第１デジタル受信信号２００ａ、第２デジタル受信信号２００ｂ、第Ｎデジタル受信信号２００ｎ、デジタル送信信号２０２と総称される第１デジタル送信信号２０２ａ、第２デジタル送信信号２０２ｂ、第Ｎデジタル送信信号２０２ｎ、信号処理制御信号２０４、合成信号２０６、分離前信号２０８、受信応答ベクトル信号２１２、監視要求信号２２０、警告処理インターフェース信号２２２を含む。
【００１９】
基地局装置３４のベースバンド部２２は、ネットワーク３２とのインターフェースであり、端末装置１０のベースバンド部２６は、端末装置１０と接続したＰＣや、端末装置１０内部のアプリケーションとのインターフェースであり、それぞれ通信システム１００で伝送の対象となる情報信号の送受信処理を行う。また、誤り訂正や自動再送処理がなされてもよいが、ここではこれらの説明を省略する。
【００２０】
基地局装置３４のモデム部２０、端末装置１０のモデム部２８は、変調処理として、キャリアを送信したい情報信号で変調して、送信信号を生成するが、ここでは、変調方式として、π／４シフトＱＰＳＫ（Ｑｕａｄｒａｔｕｒｅ  Ｐｈａｓｅ  Ｓｈｉｆｔ  Ｋｅｙｉｎｇ）を対象とする。また、復調処理として、受信信号を遅延検波して、送信された情報信号を再生する。
【００２１】
信号処理部１８は、アダプティブアレイアンテナによる送受信処理に必要な信号処理を行う。
【００２２】
基地局装置３４の無線部１２、端末装置１０の無線部３０は、信号処理部１８、モデム部２０、ベースバンド部２２、ベースバンド部２６、モデム部２８で処理されるベースバンドの信号と無線周波数の信号間の周波数変換処理、増幅処理、ＡＤまたはＤＡ変換処理等を行う。
【００２３】
基地局装置３４の基地局用アンテナ１４、端末装置１０の端末用アンテナ１６は、無線周波数の信号を送受信処理する。アンテナの指向性は任意でよく、基地局用アンテナ１４のアンテナ数はＮとされる。
【００２４】
制御部２４は、無線部１２、信号処理部１８、モデム部２０、ベースバンド部２２のタイミング等を制御する。
【００２５】
警告処理部３００は、信号処理部１８から出力された受信応答ベクトル信号２１２にもとづいて、端末装置１０の盗難を監視し、盗難がされたと判断した場合に、警告に関する信号を警告処理インターフェース信号２２２として出力する。
【００２６】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２７】
図３は、信号処理部１８の構成を示す。信号処理部１８は、合成部５０、受信ウエイトベクトル計算部５６、参照信号生成部５８、受信応答ベクトル計算部６０、分離部６２、送信ウエイトベクトル計算部６６を含み、合成部５０は、乗算部５２と総称される第１乗算部５２ａ、第２乗算部５２ｂ、第３乗算部５２ｃ、第４乗算部５２ｄ、加算部５４を含み、分離部６２は、乗算部６４と総称される第１乗算部６４ａ、第２乗算部６４ｂ、第３乗算部６４ｃ、第４乗算部６４ｄを含む。また、信号として、受信ウエイト信号２１０と総称される第１受信ウエイト信号２１０ａ、第２受信ウエイト信号２１０ｂ、第３受信ウエイト信号２１０ｃ、第４受信ウエイト信号２１０ｄ、受信応答ベクトル信号２１２、送信ウエイト信号２１４と総称される第１送信ウエイト信号２１４ａ、第２送信ウエイト信号２１４ｂ、第３送信ウエイト信号２１４ｃ、第４送信ウエイト信号２１４ｄ、受信ウエイト参照信号２１６、受信応答参照信号２１８を含む。
【００２８】
受信ウエイトベクトル計算部５６は、デジタル受信信号２００と受信ウエイト参照信号２１６から、デジタル受信信号２００の重み付けに必要な受信ウエイト信号２１０を、ＲＬＳ（Ｒｅｃｕｒｓｉｖｅ  Ｌｅａｓｔ  Ｓｑｕａｒｅｓ）アルゴリズムやＬＭＳ（Ｌｅａｓｔ  Ｍｅａｎ  Ｓｑｕａｒｅｓ）アルゴリズムなどの適応アルゴリズムによって計算する。
【００２９】
乗算部５２は、デジタル受信信号２００を受信ウエイト信号２１０で重み付けし、加算部５４は乗算部５２の出力を加算して、合成信号２０６を出力する。
【００３０】
参照信号生成部５８は、トレーニング期間中は予め記憶したトレーニング信号を受信ウエイト参照信号２１６、受信応答参照信号２１８として出力する。またトレーニング期間後は合成信号２０６を予め規定しているしきい値で判定して、その結果を受信ウエイト参照信号２１６、受信応答参照信号２１８として出力する。なお、判定は硬判定である必要はなく、軟判定でもよい。
【００３１】
受信応答ベクトル計算部６０は、送信信号に対する受信信号の受信応答特性として受信応答ベクトル信号２１２を、デジタル受信信号２００、受信応答参照信号２１８から計算する。受信応答ベクトル信号２１２の計算方法は任意のものでよいが、一例として次に示すように、相関処理にもとづいて実行される。なお、デジタル受信信号２００と受信応答参照信号２１８は、信号処理部１８内からだけではなく、図示しない信号線によって、他のユーザの端末装置１０に対応する信号処理部からも入力されるものとする。第１の端末装置１０に対応するデジタル受信信号２００をｘ１（ｔ）、第２の端末装置１０に対応するデジタル受信信号２００をｘ２（ｔ）と示し、第１の端末装置１０に対応する受信応答参照信号２１８をＳ１（ｔ）、第２の端末装置１０に対応する受信応答参照信号２１８をＳ２（ｔ）と示せば、ｘ１（ｔ）とｘ２（ｔ）は、次の式で示される。
【００３２】
【数１】
0004782858.tif 000002
ここで、ｈｉｊは、第ｉ番目の端末装置１０から第ｊ基地局用アンテナ１４ｊまでの応答特性であり、また雑音は無視する。第１の相関行列Ｒ１は、Ｅをアンサンブル平均として、次の式で示される。
【００３３】
【数２】
0004782858.tif 000003
受信応答参照信号２１８間の第２の相関行列Ｒ２も次の式のように計算される。
【００３４】
【数３】
0004782858.tif 000004
最終的に、第２の相関行列Ｒ２の逆行列と第１の相関行列Ｒ１を乗算し、次の式で示される受信応答ベクトル信号２１２が求められる。なお、受信応答ベクトル信号２１２は、図示しない警告処理部３００にも出力される。
【００３５】
【数４】
0004782858.tif 000005
送信ウエイトベクトル計算部６６は、分離前信号２０８の重み付けに必要な送信ウエイト信号２１４を、受信応答特性である受信ウエイト信号２１０や受信応答ベクトル信号２１２から推定する。送信ウエイト信号２１４の推定方法は、任意とするが、最も簡易な方法として、受信ウエイト信号２１０や受信応答ベクトル信号２１２をそのまま使用すればよい。あるいは、受信処理と送信処理の時間差で生じる伝搬環境のドップラー周波数変動を考慮して、従来の技術によって、受信ウエイト信号２１０や受信応答ベクトル信号２１２を補正してもよい。なお、ここでは、送信ウエイト信号２１４の推定に、受信応答ベクトル信号２１２を使用する。
【００３６】
乗算部６４は、分離前信号２０８を送信ウエイト信号２１４でそれぞれ重み付けし、デジタル送信信号２０２を出力する。なお、以上の動作におけるタイミングは、信号処理制御信号２０４に従うものとする。
【００３７】
図４は、警告処理部３００の構成を示す。警告処理部３００は、記憶部３５０、計算部３５２、設定部３５４、受付部３５６、警告出力部３５８、応答部３６０を含む。
【００３８】
受付部３５６は、端末装置１０から監視要求を受けつけ、後述の記憶部３５０、設定部３５４、警告出力部３５８、応答部３６０に監視状態になったことを通知する。一方、端末装置１０から監視解除の要求も受けつけるが、その際は、監視要求を受けつけた場合の反対の処理を行う。
【００３９】
記憶部３５０は、受信応答ベクトル信号２１２を記憶する。基地局装置３４が、複数の端末装置１０を接続している場合には、端末装置１０単位で受信応答ベクトル信号２１２を記憶する。また、受付部３５６から出力された監視状態になった通知も記憶する。
【００４０】
計算部３５２は、記憶部３５０に記憶された受信応答ベクトル信号２１２と過去の受信応答ベクトル信号２１２との相関を計算する。ここで、相関の計算対象となる受信応答ベクトル信号２１２のフレーム間隔は、１フレーム間隔であってもよいし、複数のフレーム間隔であってもよい。さらに、１フレーム間隔と複数のフレーム間隔に対する計算が、両方とも行われてもよい。
【００４１】
警告出力部３５８は、計算部３５２で計算された相関値がしきい値より小さく、すなわち受信応答ベクトル信号２１２の変動が大きい場合であって、さらに相関値がしきい値より小さい状態が所定期間、例えば１秒間連続する場合に、警告信号を警告処理インターフェース信号２２２として出力する。当該警告処理インターフェース信号２２２は、外部の管理サーバ３１０に伝送される。
【００４２】
設定部３５４は、受付部３５６から端末装置１０の監視状態の通知を受けつけていない場合に、警告出力部３５８で使用される受信応答ベクトル信号２１２の相関値と比較されるしきい値を設定する。例えば、端末装置１０と基地局装置３４の間の無線伝搬環境が静的な場合には、端末装置１０の移動がなければ受信応答ベクトル信号２１２の相関値は大きくなる傾向にある。その場合に、端末装置１０の移動が少しでもあればそれを検知できるように、検出精度の向上を目的として、しきい値を高く設定する。一方、端末装置１０と基地局装置３４の間の無線伝搬環境が動的な場合には、端末装置１０の移動がなくても受信応答ベクトル信号２１２の相関値は小さくなる傾向にある。その場合に、端末装置１０の移動がない場合の警告の出力を防止するために、誤検出の防止を目的として、しきい値を低く設定する。
【００４３】
応答部３６０は、受付部３５６から端末装置１０の監視状態の通知を受けつけた場合に、警告処理インターフェース信号２２２によってネットワーク３２から端末装置１０への着信が入力されると、当該着信の発信元に対して、端末装置１０の代理として、応答を警告処理インターフェース信号２２２として出力する。
【００４４】
図５は、記憶部３５０で記憶した端末装置情報のデータ構造を示す。「端末装置番号」は、基地局装置３４が接続している端末装置１０の識別番号である。「受信応答ベクトル」は、ひとつの端末装置１０に対する受信応答ベクトル信号２１２である。受信応答ベクトル信号２１２は一般的にベクトル量であり、複数の成分を有するが、ここではそれをひとつにまとめて例えばＡ１と示した。さらに、Ａ１、Ａ２、Ａ３と記憶しているが、Ａ１の方が導出時間の新しい受信応答ベクトル信号２１２とする。「監視情報」は、受付部３５６から監視状態の通知を受けつけた場合に、「監視中」としている。
【００４５】
図６は、監視処理を示すフローチャートである。受付部３５６は、端末装置１０から監視要求を受けつける（Ｓ１０）。受付部３５６は、監視要求を記憶部３５０に登録する（Ｓ１２）とともに、警告処理インターフェース信号２２２によって、端末装置１０に監視要求の完了を通知する（Ｓ１４）。当該警告処理インターフェース信号２２２は、基地局用アンテナ１４等を介して端末装置１０に伝送される。基地局装置３４は、端末装置１０に所定の時間間隔で信号を送信する（Ｓ１６）。基地局装置３４は、端末装置１０から信号を受信し（Ｓ１８）、受信応答ベクトル計算部６０は、受信応答ベクトル信号２１２を計算する（Ｓ２０）。すなわち、簡易型携帯電話システムの場合、通信をしていなければ、端末装置１０は基地局装置３４に信号を送信しないため、基地局装置３４は、受信応答ベクトル信号２１２を計算するための信号を端末装置１０に送信させるために、端末装置１０に対して予め信号を送信する。
【００４６】
計算部３５２は、受信応答ベクトル信号２１２と過去の受信応答ベクトル信号２１２を比較する（Ｓ２２）。受信応答ベクトル信号２１２と過去の受信応答ベクトル信号２１２の警告出力部３５８で計算された相関が、しきい値より小さく（Ｓ２４のＹ）、かつ相関がしきい値より小さい状態が所定期間より長く続けば（Ｓ２６のＹ）、警告出力部３５８は、警告を警告処理インターフェース信号２２２に含めて、ネットワーク３２を介して管理サーバ３１０に出力する（Ｓ２８）。一方、受信応答ベクトル信号２１２と過去の受信応答ベクトル信号２１２の警告出力部３５８で計算された相関が、しきい値より小さなく（Ｓ２４のＮ）、あるいは相関がしきい値より小さい状態が所定期間より長く続かなければ（Ｓ２６のＮ）、ステップ１６からの処理を引き続き実行する。
【００４７】
図７は、応答処理を示すフローチャートである。ステップ５０からステップ５４は、図６のステップ１０からステップ１４と同一のため、説明を省略する。応答部３６０は、ネットワーク３２から端末装置１０への着信を警告処理インターフェース信号２２２によって受けつける（Ｓ５６）。着信のあった端末装置１０が監視中であれば（Ｓ５８のＹ）、応答部３６０は、発信元へネットワーク３２を介して通話不可を応答する（Ｓ６０）。一方、着信のあった端末装置１０が監視中でなければ（Ｓ５８のＮ）、端末装置１０を通常の手順で呼び出す（Ｓ６２）。
【００４８】
本発明の実施例によれば、受信応答ベクトルの変動が所定期間より長い間続いた場合に、盗難と判定するため、誤って警告を出力する確率を低減できる。また、予め端末装置から監視要求を受けつけた場合に、盗難を判定するため、端末装置の単なる移動と盗難を正確に区別できる。また、無線伝搬環境に応じて、受信応答ベクトルの変動と比較するしきい値を変えるため、静的な環境では正確に盗難を検出でき、動的な環境では盗難の誤検出を防止できる。
【００４９】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５０】
本発明の実施例において、通信システム１００は、簡易型携帯電話システムであるとして説明した。しかしこれに限らず例えば、携帯電話システムや無線ＬＡＮなどの他の無線通信システムであってもよい。本変形例によれば、各種の通信システム１００に本発明を適用可能である。つまり、端末装置１０を接続すべき基地局装置３４が通信システム１００の構成要件に含まれていればよい。
【００５１】
本発明の変形例において、通信システム１００は、監視対象の端末装置１０に対して、受信応答ベクトル信号２１２を計算するために予め信号を送信した。しかしこれに限らず例えば、信号を送信しなくてもよい。本変形例によれば、無線区間のトラヒックを低減できる。つまり、基地局装置３４は、所定の間隔で端末装置１０から信号を受信できればよい。
【００５２】
本発明の実施例において、管理サーバ３１０は、警告をユーザ３１８の所有する携帯電話３１６に通知している。しかしこれに限らず例えば、警告を固定電話やページャに通知してもよい。本変形例によれば、警告を通知するための通信システムに様々な通信システムを使用可能である。つまり、ユーザ３１８に警告を通知できればよい。
【００５３】
本発明の実施例において、計算部３５２は、盗難の判定を行うために受信応答ベクトル信号２１２と過去の受信応答ベクトル信号２１２の相関を計算した。しかしこれに限らず例えば、計算部３５２は、受信ウエイト信号２１０と過去の受信ウエイト信号２１０の相関を計算してもよい。その場合、記憶部３５０は、受信ウエイト信号２１０を記憶する。本変形例によれば、回路構成から受信応答ベクトル計算部６０を省略可能なため、回路規模を低減できる。つまり、端末装置１０の移動によって、変動する値が得られればよい。
【符号の説明】
【００５４】
１０  端末装置、  １２  無線部、  １４  基地局用アンテナ、  １６  端末用アンテナ、  １８  信号処理部、  ２０  モデム部、  ２２  ベースバンド部、  ２４  制御部、  ２６  ベースバンド部、  ２８  モデム部、  ３０  無線部、  ３２  ネットワーク、  ３４  基地局装置、  ５０  合成部、  ５２  乗算部、  ５４  加算部、  ５６  受信ウエイトベクトル計算部、  ５８  参照信号生成部、  ６０  受信応答ベクトル計算部、  ６２  分離部、  ６４  乗算部、  ６６  送信ウエイトベクトル計算部、  １００  通信システム、  ２００  デジタル受信信号、  ２０２  デジタル送信信号、  ２０４  信号処理制御信号、  ２０６  合成信号、  ２０８  分離前信号、  ２１０  受信ウエイト信号、  ２１２  受信応答ベクトル信号、  ２１４  送信ウエイト信号、  ２１６  受信ウエイト参照信号、  ２１８  受信応答参照信号、  ２２０  監視要求信号、  ２２２警告処理インターフェース信号、  ３００  警告処理部、  ３１０  管理サーバ、  ３１２  携帯電話用有線ネットワーク、  ３１４  携帯電話用基地局装置、  ３１６  携帯電話、  ３１８  ユーザ、  ３５０  記憶部、  ３５２  計算部、  ３５４  設定部、  ３５６  受付部、  ３５８  警告出力部、  ３６０  応答部。
【図１】
0004782858.tif 000006
【図２】
0004782858.tif 000007
【図３】
0004782858.tif 000008
【図４】
0004782858.tif 000009
【図５】
0004782858.tif 000010
【図６】
0004782858.tif 000011
【図７】
0004782858.tif 000012